(57)【要約】【課題】取り付け作業及び電池交換作業が簡単且つ安全で、電池交換時の耐埃性も確保される検知器を提供する。【解決手段】取り付け面１にネジ１２でネジ止め固定される取着ベース２と、この取着ベース２に係止結合され収容される検知部品を覆い隠すカバー３と、を備えた検知器において、カバー３を中空ケース状に形成してその内部に検知部品を収容し、同カバー３の背方外面に開口した電池収容凹所４を形成し、このカバー３を取着ベース２に係止結合させることにより、この取着ベース２で同電池収容凹所４の開口が閉塞されるようになした。【選択図】　　　　　図１
2004145758.tif 000002
【特許請求の範囲】
【請求項１】
取り付け面にネジ止め固定される取着ベースと、この取着ベースに係止結合され収容される検知部品を覆い隠すカバーと、を備えた検知器であって、カバーを中空ケース状に形成してその内部に検知部品を収容し、同カバーの背方外面に開口した電池収容凹所を形成し、このカバーを取着ベースに係止結合させることにより、この取着ベースで同電池収容凹所の開口が閉塞されるようになした検知器。
【請求項２】
カバーの背方外面となる略平板状で電池収容凹所を有する背板部材と、カバーの表方外面となる背方へ開口した略器状の表板部材と、を分割可能に結合して同カバーを中空ケース状に形成したことを特徴とする請求項１記載の検知器。
【請求項３】
カバーの背方外面を平坦面としてその中程に電池収容凹所を形成し、この電池収容凹所の略中央を中心としてその外側で周方向に略等間隔にして複数の係止孔を配置穿設し、取着ベースを略平板状に形成してその表面に前記複数の係止孔と対応配置されこれに着脱自在に係合される複数の係止片を突設し、各係止片を各係止孔に係合させることにより、同取着ベースに前記カバーが係止結合されるようになしたことを特徴とする請求項１又は２記載の検知器。
【請求項４】
取着ベースに対しカバーを両者の略中央を中心として回動させることにより、このカバーが同取着ベースに係止結合されるようになしたことを特徴とする請求項１〜３のいずれか一つに記載の検知器。
【請求項５】
電池収容凹所内に電池が収容設置された状態でカバーの回動を可能とし、収容設置されない状態で同カバーの回動を阻止するストッパー手段を備えたことを特徴とする請求項４記載の検知器。
【請求項６】
取着ベースの表面に出没自在で電池収容凹所内に収容設置された電池により押圧されて没動作をなす当止片を突設し、この当止片が同電池収容凹所内に電池が収容設置されない状態で出動作をなしてカバーに当止することにより同カバーの回動を阻止するストッパー手段としたことを特徴とする請求項５記載の検知器。
【請求項７】
電池収容凹所の開口が略矩形状であり、この電池収容凹所の開口内縁に当止片が当止することによりカバーの回動を阻止するストッパー手段としたことを特徴とする請求項６記載の検知器。
【発明の詳細な説明】
【０００１】
【発明の属する技術分野】
本発明は、建物内の天井面や壁面等の取り付け面に設置固定され、火災の発生や人の存在等を検知する検知器であり、報知機能が備わると、例えば、住宅用の火災警報器ともなる検知器に関するものである。
【０００２】
【従来の技術】
従来から、特開平９−２９３１８１号公報に示される如く、天井面や壁面等に設置固定され、火災の発生や人の存在等を検知する検知器は知られている。この検知器は、図７に示す如く、住宅の天井面である取り付け面１にネジ止め固定される取着ベース２と、この取着ベース２に係止結合され収容される検知部品を覆い隠すカバー３と、を備えている。
【０００３】
この場合、取着ベース２はネジ１２によって取り付け面１に取着固定され、この取着ベース２とカバー３とで囲まれるスペース内には、プリント基板２２やこれに搭載される検知部１３等の検知部品、及び、電池９が収容されている。検知部１３は光学台を用いた火災検知部で、火災を検知してその検知信号を発信するものである。又、電池９は検知部品等に電源供給するもので、取着ベース２に設けられた電池設置部２３に収容保持されており、消耗すると取り替え交換される。
【０００４】
したがって、この場合、取着ベース２を取り付け面１に簡単に取着固定することができ、電池９の取り付けが容易且つ確実で小型化も図られ、しかも、同取着ベース２に係止結合されるカバー３の取り外しが容易な検知器が得られるとされている。
【０００５】
【特許文献１】
特開平９−２９３１８１号公報
【０００６】
【発明が解決しようとする課題】
しかしながら、上記従来の技術にあっては、プリント基板２２やこれに搭載される検知部１３等の検知部品、及び、電池９が全て取着ベース２側に支持されるものであるため、この取着ベース２を取り付け面１にネジ止め固定する際、重量的に困難な作業を要する。しかも、電池９を取り替え交換する際には、取り付け面１が天井面であると、高所での交換作業となり、同電池９の落下等も想定され、安全性に問題のある困難な作業となる。又、電池９を取り替え交換する際、取着ベース２からカバー３が取り外され、同取着ベース２内にゴミや埃が侵入して露出する検知部品に付着し易く、誤動作の要因ともなる。
【０００７】
本発明は、上記従来の技術における問題を悉く解決するために発明されたもので、その課題は、取り付け作業及び電池交換作業が簡単且つ安全で、電池交換時の耐埃性も確保される検知器を提供することである。
【０００８】
【課題を解決するための手段】
本発明の請求項１記載の検知器は、取り付け面にネジ止め固定される取着ベースと、この取着ベースに係止結合され収容される検知部品を覆い隠すカバーと、を備えた検知器において、カバーを中空ケース状に形成してその内部に検知部品を収容し、同カバーの背方外面に開口した電池収容凹所を形成し、このカバーを取着ベースに係止結合させることにより、この取着ベースで同電池収容凹所の開口が閉塞されるようになしている。
【０００９】
したがって、この場合、中空ケース状のカバー内部に検知部品が収容され、取り付け面にネジ止め固定される取着ベースに対して同カバーは係止結合さるものであるため、取着ベースを取り付け面にネジ止め固定する作業の際、検知部品が収容されるカバーを外して軽量な状態で行うことができ、その後、固定された取着ベースにカバーを係止結合する簡単な作業で取り付け作業は完了する。
【００１０】
又、カバーの背方外面に開口した電池収容凹所が形成され、このカバーを取着ベースに係止結合させることにより、この取着ベースで同電池収容凹所の開口が閉塞されるようになっているので、電池交換の際、カバーを取着ベースから取り外すと電池収容凹所が開口され、このカバーを取り付け面から離れた安全な場所で持ち、手元にて同開口された電池収容凹所に対して電池を入替えすることができ、電池交換後にはカバーを取着ベースに取り付けると、同電池収容凹所の開口が閉塞されて、電池交換は簡単且つ安全な作業として完了する。
【００１１】
しかも、電池交換の際、カバーを取着ベースから取り外しても、検知部品はこのカバーの内部に収容されたままで露出せず、同検知部品にゴミや埃が付着することはなくて、検知の誤動作が防止される。更に、電池交換後にカバーを取着ベースに取り付けた状態では、この取着ベースで同カバーの電池収容凹所の開口も閉塞されて、検知器全体の耐埃性が確保される。
【００１２】
本発明の請求項２記載の検知器は、上記請求項１記載の検知器において、カバーの背方外面となる略平板状で電池収容凹所を有する背板部材と、カバーの表方外面となる背方へ開口した略器状の表板部材と、を分割可能に結合して同カバーを中空ケース状に形成したことを特徴としている。
【００１３】
したがって、この場合は特に、略平板状の背板部材と略器状の表板部材とで中空ケース状のカバーが形成されており、同背板部材と表板部材とは分割可能に結合されているので、両者を分割することにより、その内部に収容される検知部品のメンテナンスを容易に行うことができる。
【００１４】
本発明の請求項３記載の検知器は、上記請求項１又は２記載の検知器において、カバーの背方外面を平坦面としてその中程に電池収容凹所を形成し、この電池収容凹所の略中央を中心としてその外側で周方向に略等間隔にして複数の係止孔を配置穿設し、取着ベースを略平板状に形成してその表面に前記複数の係止孔と対応配置されこれに着脱自在に係合される複数の係止片を突設し、各係止片を各係止孔に係合させることにより、同取着ベースに前記カバーが係止結合されるようになしたことを特徴としている。
【００１５】
したがって、この場合は特に、カバーの背方外面が平坦面とされてその中程に電池収容凹所が形成され、取着ベースが略平板状に形成されているので、この取着ベースによって同電池収容凹所は確実に閉塞される。しかも、電池収容凹所が中程に位置しており、その周囲で等間隔に配置される係止孔と係止片とが係合されて、カバーは取着ベースに対して安定した状態で係止結合され支持される。
【００１６】
本発明の請求項４記載の検知器は、上記請求項１〜３のいずれか一つに記載の検知器において、取着ベースに対しカバーを両者の略中央を中心として回動させることにより、このカバーが同取着ベースに係止結合されるようになしたことを特徴としている。
【００１７】
したがって、この場合は特に、取着ベースに対しカバーを両者の略中央を中心として回動させることにより、このカバーが同取着ベースに係止結合されるようになっているので、カバーを取着ベースに対し安定してスムーズに回動作させることにより、簡単且つ確実に係止結合することができる。
【００１８】
本発明の請求項５記載の検知器は、上記請求項４記載の検知器において、電池収容凹所内に電池が収容設置された状態でカバーの回動を可能とし、収容設置されない状態で同カバーの回動を阻止するストッパー手段を備えたことを特徴としている。
【００１９】
したがって、この場合は特に、ストッパー手段により、電池収容凹所内に電池が収容設置されない状態ではカバーの回動が阻止されるので、電池未収容状態では同カバーが取り付けられることはなく、電池装着忘れ等による検知の不動作が防止される。
【００２０】
本発明の請求項６記載の検知器は、上記請求項５記載の検知器において、取着ベースの表面に出没自在で電池収容凹所内に収容設置された電池により押圧されて没動作をなす当止片を突設し、この当止片が同電池収容凹所内に電池が収容設置されない状態で出動作をなしてカバーに当止することにより同カバーの回動を阻止するストッパー手段としたことを特徴としている。
【００２１】
したがって、この場合は特に、電池収容凹所内に電池が収容設置されない状態で、当止片は電池で押圧されることなく突出しており、この突出した当止片がカバーに当止することによって同カバーの回動は阻止され、このようにストッパー手段が確実に動作機能するものとなる。
【００２２】
本発明の請求項７記載の検知器は、上記請求項６記載の検知器において、電池収容凹所の開口が略矩形状であり、この電池収容凹所の開口内縁に当止片が当止することによりカバーの回動を阻止するストッパー手段としたことを特徴としている。
【００２３】
したがって、この場合は特に、略矩形状の電池収容凹所の開口内縁に当止片が当止することによりカバーの回動は阻止され、このようにストッパー手段が同電池収容凹所を利用した簡単な構造で動作機能するものとなる。
【００２４】
【発明の実施の形態】
図１、２は、本発明の請求項１〜４に対応した第一の実施形態である検知器を示している。この検知器は報知機能を有する住宅用の火災警報器であり、図１に示す如く、取り付け面１にネジ止め固定される取着ベース２と、この取着ベース２に係止結合され収容される検知部品を覆い隠すカバー３と、を備えている。そして、この検知器では、カバー３を中空ケース状に形成してその内部に検知部品を収容し、同カバー３の背方外面に開口した電池収容凹所４を形成し、このカバー３を取着ベース２に係止結合させることにより、この取着ベース２で同電池収容凹所４の開口が閉塞されるようになしている。
【００２５】
又、この検知器では、カバー３の背方外面となる略平板状で電池収容凹所４を有する背板部材５と、カバー３の表方外面となる背方へ開口した略器状の表板部材６と、を分割可能に結合して同カバー３を中空ケース状に形成している。しかも、カバー３の背方外面を平坦面としてその中程に電池収容凹所４を形成し、この電池収容凹所４の略中央を中心としてその外側で周方向に略等間隔にして複数の係止孔７を配置穿設し、他方、取着ベース２を略平板状に形成してその表面に前記複数の係止孔７と対応配置されこれに着脱自在に係合される複数の係止片８を突設して、各係止片８を各係止孔７に係合させることにより、同取着ベース２に前記カバー３が係止結合されるようになしている。
【００２６】
更に、この場合、図２に示す如く、取着ベース２に対しカバー３を両者の略中央を中心としてα方向に回動させることにより、前記各係止孔７に挿入された各係止片８が相対的にαとは反対方向に回動し同各係止孔７に係止支持されて、このカバー３が同取着ベース２に係止結合されるようになしている。
【００２７】
以下、この実施形態の検知器について、より具体的に説明する。図１に示す如く、取着ベース２は略平板状で合成樹脂或いは金属等で一体に形成され、複数のネジ１２によって天井面である取り付け面１に取着固定される。取着ベース２の周縁付近の表面には、周方向で略等間隔に係止片８が配設（ここでは、対称位置に一対の係止片８が配設）されている。係止片８は下方外側へと略Ｌ字状に屈曲した形状で、取着ベース２から一体に垂下突設されており、両係止片８が相反して外側へ屈曲している。
【００２８】
カバー３は、合成樹脂或いは金属等で一体に形成される略平板状の背板部材５と、合成樹脂或いは金属等で一体に形成される略器状の表板部材６と、を分割可能に結合してなる。背板部材５と表板部材６とは、その周縁部分で相互に係止結合されて嵌着一体化され、中空ケース状のカバー３となる。カバー３の中空内部には、プリント基板やこれに搭載される検知部１３等の検知部品、スイッチ１４、ブザー或いはベル等の報知手段１５が収容設置されている。
【００２９】
この場合、検知部１３は火災の際に発生する煙を検知するもので、投光素子、投光レンズ、受光素子、ラビリンス等を内蔵した光学台を用いたものである。検知部１３としては、光学台を用いた煙検知式のもの以外で、半導体を用いた熱検知式のものであっても良く、又、ガスの臭いを検知するものであっても良い。検知部１３の検知結果は、検知信号として報知手段１５へと送信され、この報知手段１５にてブザー、ベル等で報知されることにより、火災発生の警報が行われる。
【００３０】
検知部１３は前記ケース３の表板部材６の略中央で、下方へ突出するように収容され、その周囲は防虫網等が設けられて開放されている。表板部材６の検知部１３の側方には前記スイッチ１４が設けられ、このスイッチ１４の反対側には複数のスリット状の孔１６が穿設されており、この複数の孔１６は前記報知手段１５と対応する位置に配設形成されて、この報知手段１５による発生音が同複数の孔１６を通じて外部に報知され易いようになっている。なお、前記スイッチ１４は、通常の監視状態では動作チェックを行う際に操作され、火災警報状態では一定時間の警報停止を行う際に操作されるものである。
【００３１】
図２に示す如く、ケース３は全体として略円形状で前記取着ベース２よりも大径に形成され、その背板部材５の中程に略矩形状の電池収容凹所４が形成されている。電池収容凹所４は外部上方へ開口した凹所で、その内部には四本の電池９が並列収容保持され、各電池９は消耗すると取り替え交換されるものである。電池収容凹所４の相対向する両内壁面には四対の電池端子受け部１７が配設されており、各電池端子受け部１７を介して各電池９からケース３内部の検知部１３、報知手段１５等へと電源供給される。
【００３２】
又、背板部材５の前記電池収容凹所４の外側には、この電池収容凹所４の略中央を中心として周方向に略等間隔で複数の係止孔７が配置（ここでは、対称位置に一対の係止孔７が配置）穿設されている。両係止孔７は同じ形状で点対称に配設形成され、大きく開口した挿入開口部７ａと、この挿入開口部７ａに周方向で連通形成される細溝状の支持溝開口部７ｂと、を有している。この場合、挿入開口部７ａで前記係止片８が挿入され、ケース３と共に係止孔７をα方向に回動すると、同係止片８は支持溝開口部７ｂへとスライド移動してこの位置で抜け外れないように係合され、両係止片８に対して両係止孔７が確実に係止支持される。
【００３３】
したがって、この実施形態の検知器においては、中空ケース状のカバー３内部にプリント基板やこれに搭載される検知部１３等の検知部品、スイッチ１４、ブザー或いはベル等の報知手段１５が収容されると共に、このカバー３には電池９が保持され、取り付け面１にネジ止め固定される取着ベース２に対して同カバー３は係止結合さるものであるため、取着ベース２を取り付け面１にネジ１２でネジ止め固定する作業の際、多くの部品等を保持するカバー３を外して軽量な状態で行うことができ、その後、固定された取着ベース２にカバー３を係止結合する簡単な作業で取り付け作業は完了する。
【００３４】
又、カバー３の背方外面に開口した電池収容凹所４が形成され、このカバー３を取着ベース２に係止結合させることにより、この取着ベース２は蓋として兼用されて、この取着ベース２により同電池収容凹所４の開口が閉塞されるようになっているので、電池交換の際、カバー３を取着ベース２から取り外すと電池収容凹所４が開口され、このカバー３を天井面である高所の取り付け面１から離れた低くて安全な場所で持ち、手元にて同開口された電池収容凹所４に対して電池９を落下しないよう入替えすることができる。
【００３５】
そして、電池交換後にはカバー３を取着ベース２に取り付けると、電池収容凹所４の開口が同取着ベース２で閉塞されて、電池交換は簡単且つ安全な作業として完了する。又、この場合、取着ベース２が電池収容凹所４の開口を開閉する蓋を兼ねるので、部材点数は削減され、しかも、電池交換作業に際し蓋を開閉する手間がなくなって、同電池交換作業は簡略化される。
【００３６】
しかも、電池交換の際に、カバー３を取着ベース２から取り外しても、プリント基板やこれに搭載される検知部１３等の検知部品、報知手段１５等の部品はこのカバー３の内部に収容されたままで露出せず、同検知部品や報知手段１５等の部品にゴミや埃が付着することはなくて、検知の誤動作が防止され、それに伴う誤報も防止されて、検知器の信頼性は高くなる。更に、電池交換後にカバー３を取着ベース２に取り付けた状態では、この取着ベース２で同カバー３の電池収容凹所４の開口も閉塞されて、検知器全体の耐埃性が確保される。
【００３７】
又、この実施形態の検知器においては、略平板状の背板部材５と略器状の表板部材６とで中空ケース状のカバー３が簡単に分割形成されており、同背板部材５と表板部材６とは分割可能に嵌着結合されているので、両者を相互に嵌合解除して分割することにより、その内部に収容される検知部品や報知手段１５等のメンテナンスを容易に行うことができる。
【００３８】
又、この実施形態の検知器においては、カバー３の背方外面が平坦面とされてその中程に電池収容凹所４が形成され、取着ベース２が略平板状に形成されているので、この取着ベース２によって同電池収容凹所４は確実に閉塞される。しかも、電池収容凹所４が中程に位置しており、その周囲で等間隔に配置される係止孔７と係止片８とが係合されて、カバー３は取着ベース２に対して安定した状態で係止結合され支持される。
【００３９】
更に、この場合、図２に示す如く、取着ベース２に対しカバー３を両者の略中央を中心としてα方向に回動させることにより、前記各係止孔７に挿入された各係止片８が相対的にαとは反対方向に回動し同各係止孔７に係止支持されて、このカバー３が同取着ベース２に係止結合されるようになっているので、カバー３を取着ベース２に対し安定してスムーズに回動作させることにより、簡単且つ確実に係止結合することができる。
【００４０】
図３〜５は、本発明の請求項１〜７全てに対応した第二の実施形態である検知器を示している。この検知器は、ストッパー手段１０を備えており、図３に示す如く、電池収容凹所４内に電池９が収容設置された状態で、同ストッパー手段１０はカバー３の回動を可能とし、図４に示す如く、電池収容凹所４内に電池９が収容設置されない状態で、同ストッパー手段１０はカバー３の回動を阻止する。
【００４１】
この場合、取着ベース２の表面に出没自在で電池収容凹所４内に収容設置された電池９により押圧されて没動作をなす当止片１１を突設し、この当止片１１が同電池収容凹所４内に電池９が収容設置されない状態で出動作をなしてカバー３に当止することにより同カバー３の回動を阻止するストッパー手段１０である。又、図５に示す如く、電池収容凹所４の開口が略矩形状であり、この電池収容凹所４の開口内縁に当止片１１が当止することによりカバー３のα方向への回動を阻止するストッパー手段１１となっている。
【００４２】
この検知器では、ケース３が全体として略矩形状である。そして、図３、４に示す如く、取着ベース２の表面に凹部１８が形成され、この凹部１８の口縁部分に回動中心軸１９を介して当止片１１は上下首振り自在に枢支されている。図４に示す如く、当止片１１の首振り先端側の端縁はその下方への突出時に、電池収容凹所４の内壁面に近接されるものであり、この当止片１１の先端縁に同電池収容凹所４の内壁面が当止することで、ケース３の回動は阻止される。図３に示す如く、電池収容凹所４内に電池９が収容設置された状態では、当止片１１が電池９で上方へ押圧されて没動作をなし、凹部１８内に収容される。
【００４３】
このようなストッパー手段１０では、当止片１１が自重によって下方へ突出動作されるものであっても良いが、図６に示すようなものであっても良い。図６（ａ）に示すストッパー手段１０では、当止片１１が凹部１８内に収容保持されるバネ２０によって外方へ弾発付勢されており、この弾発付勢力で突出動作され、同弾発付勢力に抗して押圧され没動作されるものである。又、図６（ｂ）に示すストッパー手段１０では、当止片１１が凹部１８の口縁部分に薄肉状の弾性変形部２１を介して一体に斜め下方へ突設され、この弾性変形部２１でその弾性復元力に抗し折曲されて、同当止片１１は押圧され没動作されるものである。
【００４４】
したがって、この実施形態の検知器においては、図４、５に示す如く、ストッパー手段１０により、電池収容凹所４内に電池９が収容設置されない状態ではカバー３の回動が阻止されるので、電池未収容状態では同カバー３が取り付けられることはなく、電池装着忘れ等による検知の不動作が防止される。この場合、電池収容凹所４内に電池９が収容設置されない状態にて、当止片１１は電池９で押圧されることなく突出しており、この突出した当止片１１がカバー３に当止することによって同カバー３の回動は阻止され、このようにストッパー手段１０が確実に動作機能する。
【００４５】
又、ここでは、図５に示す如く、略矩形状の電池収容凹所４の開口内縁に当止片１１が当止することによりカバー３のα方向への回動は阻止され、このようにストッパー手段１０が略矩形状の電池収容凹所４を利用した簡単な構造で動作機能する。なお、それ以外は、上記第一の実施形態と同様に構成（同じ構成については同じ符号を付している）され、同第一の実施形態におけると同様の作用効果が奏されるので、その説明については省略する。
【００４６】
【発明の効果】
上述の如く、本発明の請求項１記載の検知器においては、取り付け面にネジ止め固定する際に、カバーを外して軽量な状態で行うことができ、その後、取着ベースに同カバーを係止結合する簡単な作業で取り付け作業は完了する。又、電池交換の際、カバーを取着ベースから取り外して、手元で開口された電池収容凹所に対して電池を入替えすることができ、電池交換後にはカバーを取着ベースに取り付けると、同電池収容凹所の開口が閉塞されて、電池交換は簡単且つ安全な作業として完了する。しかも、電池交換の際、検知部品にゴミや埃が付着することはなく、耐埃性に優れて検知の誤動作が防止される。
【００４７】
又、本発明の請求項２記載の検知器においては、特に、中空ケース状のカバーを形成する背板部材と表板部材とを分割することで、その内部に収容される検知部品のメンテナンスを容易に行うことができる。
【００４８】
又、本発明の請求項３記載の検知器においては、特に、取着ベースによって電池収容凹所が確実に閉塞され、しかも、同電池収容凹所は中程に位置し、その周囲で等間隔に配置される係止孔と係止片とが係合されることで、カバーは同取着ベースに対して安定した状態で係止結合される。
【００４９】
又、本発明の請求項４記載の検知器においては、特に、カバーを取着ベースに対して両者の略中央を中心に安定してスムーズに回動作させることができ、これにより、同カバーを取着ベースに簡単且つ確実に係止結合することができる。
【００５０】
又、本発明の請求項５記載の検知器においては、特に、電池が収容設置されない状態では、ストッパー手段によりカバーの回動が阻止されて同カバーは取り付けられず、電池装着忘れ等による検知の不動作が防止される。
【００５１】
又、本発明の請求項６記載の検知器においては、特に、電池が収容設置されない状態で、電池で押圧されることなく突出した当止片はカバーに当止し、同カバーの回動が阻止されて、ストッパー手段は確実に動作機能する。
【００５２】
又、本発明の請求項７記載の検知器においては、特に、電池収容凹所の開口内縁に当止片が当止することによりカバーの回動は阻止され、ストッパー手段が同電池収容凹所を利用した簡単な構造で動作機能する。
【図面の簡単な説明】
【図１】本発明の第一の実施形態である検知器の取り付け状態を示す断面図。
【図２】同検知器におけるカバーの回動状態を示す背面図。
【図３】本発明の第二の実施形態である検知器の電池収容時における取り付け状態を示す断面図。
【図４】同検知器の電池未収容時における取り付け状態（回動不能で取り付けは不可）を示す断面図。
【図５】同検知器におけるカバーの回動状態を示す背面図。
【図６】同検知器において採用可能な（ａ）（ｂ）各々異なるストッパー手段を例示する要部断面図。
【図７】従来例である検知器の取り付け状態を示す断面図。
【符号の説明】
１　取り付け面
２　取着ベース
３　カバー
４　電池収容凹所
５　背板部材
６　表板部材
７　係止孔
８　係止片
９　電池
１０　ストッパー手段
１１　当止片
【図１】
2004145758.tif 000003
【図２】
2004145758.tif 000004
【図３】
2004145758.tif 000005
【図４】
2004145758.tif 000006
【図５】
2004145758.tif 000007
【図６】
2004145758.tif 000008
【図７】
2004145758.tif 000009